(57)【要約】      （修正有）【課題】構造が緊密で、配置が合理的であり、ムーブメントの大きさを縮小でき、揉捏装置、叩打装置と走行装置の作業が相互に妨害することなく、同時に工作時に低騒音である超薄型マッサージムーブメントを有するマッサージチェアを提供する。【解決手段】超薄型マッサージムーブメントを有するマッサージチェアは、筐体、按摩装置、揉捏装置３、叩打装置４、走行装置５、フレームを含む。按摩装置は按摩ヘッド２１を含み、按摩ヘッドは筐体外部に設置する。走行装置は主動走行軸５３、追動走行軸５４を含み、それぞれ両端に走行輪を設置する。揉捏装置、叩打装置、走行装置は筐体内部に設置する。筐体は上筐体１１と下筐体１３を含み、揉捏電動機は上筐体内に垂直に設置し、叩打電動機と走行電動機は下筐体内に設置する。【選択図】図２
0003216917.tif 000002
【実用新案登録請求の範囲】
【請求項１】
筐体、按摩装置、揉捏装置、叩打装置、走行装置、フレームを含む超薄型マッサージムーブメントを有するマッサージチェアにおいて、そのうち、
前記按摩装置は、按摩ヘッドを含み、前記按摩ヘッドは前記筐体外部に設置し、前記揉捏装置、叩打装置、走行装置は筐体内部に設置し、
前記揉捏装置は、揉捏電動機、揉捏伝動部材、揉捏動作部材を含み、
前記叩打装置は、叩打電動機、叩打伝動部材、叩打動作部材を含み、
前記走行装置は走行電動機、走行伝動部材、主動走行軸、追動走行軸、ガイドレールを含み、前記主動走行軸と追動走行軸の両端には走行輪を設置し、
前記筐体は上腔体と下腔体を含み、前記揉捏電動機は上腔体内に垂直に設置し、前記叩打電動機と走行電動機は前記下腔体内に設置し、前記主動走行軸は走行伝動部材と走行電動機で連接し且つ前記上腔体内に回転設置し、前記追動走行軸は上腔体内に回転設置し、前記ガイドレール上にはラックを設置し、前記主動走行軸上には更に前記ラックと相互に合わさる走行ギアを設置することを特徴とする超薄型マッサージムーブメントを有するマッサージチェア。
【請求項２】
前記叩打動作部材は叩打軸を含み、前記揉捏動作組部材は、揉捏軸、ブッシング、偏心輪、前記ブッシング、偏心輪を含んで前記揉捏軸上に嵌合し、前記筐体上には二個の前記ブッシングと相互に合わさる揉捏軸支持柱を設置し、前記揉捏軸は周方向に回転し揉捏軸支持柱上で軸方向に固定設置し、前記揉捏電動機は前記二個の揉捏軸支持柱の間に設置し、揉捏伝動部材は揉捏電動機と揉捏動作部材の間に設置し、前記揉捏電動機は前記揉捏軸と前記叩打軸の間に設置することを特徴とする請求項１記載の超薄型マッサージムーブメントを有するマッサージチェア。
【請求項３】
前記揉捏伝動組部材は、第一ベルト、ベルトプーリー、ウォーム、ヘリカルギアを含み、前記ヘリカルギアは揉捏軸上に嵌合し、更に前記ウォームは相互に咬合し、前記揉捏電動機とベルトプーリーの間は第一ベルトで相互に連接することを特徴とする請求項２記載の超薄型マッサージムーブメントを有するマッサージチェア。
【請求項４】
前記筐体は、更に上筐体、中筐体と下筐体を含み、前記上筐体と中筐体の間は前記上腔体が形成され、前記下筐体と中筐体の間は下腔体が形成され、前記下筐体上には設置槽を成形し、前記設置槽の底部は更に複数の通過槽を成形し、前記叩打電動機と走行電動機は設置槽内に設置し、前記揉捏電動機は電動機カバーで中筐体上に固定し、前記下筐体上の第一ベルトに対応する位置には第一ベルトを納置するための納置室を成形することを特徴とする請求項３記載の超薄型マッサージムーブメントを有するマッサージチェア。
【請求項５】
前記揉捏電動機は、扁形電動機であり、前記揉捏電動機は扁平方向に揉捏軸と平行であることを特徴とする請求項４記載の超薄型マッサージムーブメントを有するマッサージチェア。
【請求項６】
前記按摩装置は、更にスイングアームを含み、スイングアーム一端は按摩ヘッドと相互に連接し、筐体はスイングアームを挿入するのに用いるスイングアーム槽を設置し、スイングアームは偏心輪上に嵌合し、スイングアームと偏心輪の間は第一ボールベアリングを設置することを特徴とする請求項２記載の超薄型マッサージムーブメントを有するマッサージチェア。
【請求項７】
前記スイングアームの別一端は、球形室を形成し、前記球形室内には球ヘッド連接桿を設置し、前記球ヘッド連接桿の別一端は叩打動作部材と相互に連接することを特徴とする請求項６記載の超薄型マッサージムーブメントを有するマッサージチェア。
【請求項８】
前記叩打動作部材は、更にベアリングカップ、ベアリングブロックを含み、筐体上には二個の前記ベアリングカップと相互に合わさる叩打軸支持柱を設置し、前記叩打軸は周方向に回転し二個の叩打軸支持柱上で軸方向に固定設置し、前記叩打軸とベアリングカップの間には第二ボールベアリングを設置し、前記叩打軸と前記ベアリングブロックの間は第三ボールベアリングを設置し、前記第二ボールベアリングと第三ボールベアリングの間はベアリング止め輪を設置し、前記ベアリングブロックと前記球ヘッド連接桿は相互に連接することを特徴とする請求項７記載の超薄型マッサージムーブメントを有するマッサージチェア。
【請求項９】
前記スイングアームは外スイングアームと内スイングアームを含み、前記外スイングアームと前記内スイングアームの間はネジで連接することを特徴とする請求項６記載の超薄型マッサージムーブメントを有するマッサージチェア。
【請求項１０】
前記筐体内は減速ギアボックスを固定設置し、前記揉捏伝動組部材内のベルトプーリー、ウォーム、ヘリカルギアは前記減速ギアボックス内に設置することを特徴とする請求項１記載の超薄型マッサージムーブメントを有するマッサージチェア。
【考案の詳細な説明】
【技術分野】
【０００１】
本考案は、マッサージ機器に関し、具体的には超薄型マッサージムーブメントを有するマッサージチェアに係る。
【背景技術】
【０００２】
マッサージ機器の効果は、長時間座って仕事をしたり、勉強する人に血液の循環をスムーズにし、背中や腰の痛みを改善し、病気を予防し、更には睡眠の質を高め、全身の疲労を解きほぐし、姿勢を改善し、健康な体に鍛錬する。マッサージ機器の部材は、主にメインボード、ムーブメント、ガイドレール、マニピュレータ、電動機、材質等を有し、そのうち核心的部材はムーブメントとマニピュレータである。ムーブメントは、マニピュレータ及びマニピュレータ電気モータを制御する裝置を組合せ、それがガイドレール上を自在に走行する。ガイドレール長さによって人の背部及び臀部に対してマニピュレータマッサージを行う。またマニピュレータは、プログラム設計に拠って、様々な人の手のようなマッサージ法を実現し、マッサージ原理を通じて、マッサージ効果を実現する。経絡を通して気血を循環させ、機体の陰陽平衡を保ちつつ、マニピュレータマッサージの時のマッサージ機器は、最もメインとなるマッサージ法である。
【考案の概要】
【考案が解決しようとする課題】
【０００３】
解決しようとする問題点として、現在市場でのマッサージ機器は、マッサージムーブメント構造が比較的大きく、且つマッサージムーブメントとマニピュレータ間の構造があまり緊密な状態ではない。各マニピュレータの電動機は、筐体長さ方向に沿って設置されるため、マッサージムーブメント筐体全体長さが長くなり過ぎ、全体的な空間を取りすぎてしまい、空間利用率が下がり、不必要な浪費をすることになる点である。
【課題を解決するための手段】
【０００４】
本考案の超薄型マッサージムーブメントを有するマッサージチェアは、構造が緊密で、配置が合理的であり、ムーブメントの大きさを縮小できる前提において、揉捏装置、叩打装置と走行装置の作業が相互に妨害することなく、同時に工作時に低騒音であるという利点がある。
【０００５】
上述の目的を達成するための技術的方法として、超薄型マッサージムーブメントを有するマッサージチェアは、筐体、按摩装置、揉捏装置、叩打装置、走行装置、フレームを含む。按摩装置は按摩ヘッドを含み、按摩ヘッドは筐体外部に設置し、揉捏装置、叩打装置、走行装置設置は筐体内部に設置する。揉捏装置は揉捏電動機、揉捏伝動部材、揉捏動作部材を含む。叩打装置は叩打電動機、叩打伝動部材、叩打動作部材を含む。走行装置は走行電動機、走行伝動部材、主動走行軸、追動走行軸、ガイドレールを含む。主動走行軸と追動走行軸の両端は走行輪を設置する。その特徴として、筐体は上腔体と下腔体を含み、揉捏電動機は上腔体内に垂直に設置し、叩打電動機と走行電動機は下腔体内に設置する。主動走行軸は走行伝動部材と走行電動機で連接し且つ上腔体内に回転設置し、追動走行軸は上腔体内に回転設置し、ガイドレール上にはラックを設置し、主動走行軸上には更にラックと相互に合わさる走行ギアを設置する。
【０００６】
上述の構造において、揉捏電動機は上腔体内に垂直に設置する。このような設置方式は揉捏電動機とその他二個の電動機を交錯設置し、構造が更に合理化し、マッサージムーブメント全体の長さを縮小できる。走行電動機と叩打電動機は、下腔体内に設置する。このような設置方式は、マッサージムーブメント全体の厚みを縮め、マッサージムーブメントの構造が更に緊密になる。上述二種の設置方式は一種に結合することにより、マッサージムーブメントの体積を非常に縮小できる。主動走行軸上の走行ギアとガイドレール上のラックは相互に合わさり、それに拠って、マッサージムーブメントは曲線ガイドレール上で移動できる。
【０００７】
更に、叩打動作部材は叩打軸を含む。揉捏動作組部材は揉捏軸、ブッシング、偏心輪を含み、ブッシング、偏心輪は揉捏軸上に嵌合し、筐体上には二個のブッシングと相互に合わさる揉捏軸支持柱を設置する。揉捏軸は周方向に回転し揉捏軸支持柱上で軸方向に固定設置する。揉捏電動機は二個の揉捏軸支持柱の間に設置し、揉捏伝動部材は揉捏電動機と揉捏動作部材の間に設置し、揉捏電動機は揉捏軸と叩打軸の間に設置する。
【０００８】
上述の構造において、ブッシングと筐体上の揉捏軸支持柱が相互に合わさることにより、揉捏軸は周方向に揉捏軸支持柱上に回転して設置する。偏心輪は支持柱外側に設置し、支持柱と相互に接触し、揉捏軸が軸方向に固定する。揉捏電動機は揉捏軸と叩打軸及び二個の揉捏軸支持柱の間に設置し、合理的な配置によって、筐体内の空間が十分に利用できる。
【０００９】
更に揉捏伝動組部材は第一ベルト、ベルトプーリー、ウォーム、ヘリカルギアを含み、ヘリカルギアは揉捏軸上に嵌合し、更にウォームは相互に咬合し、揉捏電動機とベルトプーリーの間は第一ベルトで相互に連接する。
【００１０】
上述の構造において、揉捏伝動組部材の第一級伝動はベルト伝動であり、長所は、過積載時、ベルトが滑って伝動部品を有効に保護し、且つベルト伝動の騒音が小さく、コントロールしやすい。第二級伝動はギア伝動であり、この種の伝動は揉捏装置においてベルトプーリーの大きさを減らすことができ、ベルトプーリーの縮小に拠って、スイングアームが稼動時にベルトプーリーによって干渉されるのを抑制する。
【００１１】
筐体は更に上筐体、中筐体と下筐体を含み、上筐体と中筐体の間の間には上腔体を形成し、下筐体と中筐体の間には下腔体を形成する。下筐体上には設置槽を成形し、設置槽の底部は更に複数の通過槽を成形し、叩打電動機と走行電動機は設置槽内に設置する。揉捏電動機は電動機カバーで中筐体上で固定する。下筐体の第一ベルトに対応する位置に第一ベルトを納置するための納置室が成形される。
【００１２】
上述の構造において、叩打電動機と走行電動機は、下筐体の設置槽内に固定設置し、且つ二個の電動機は下筐体の両端に位置し、叩打電動機と走行電動機が稼動時に相互に干渉することなく、更に安定する。通過槽を設置する長所は、電動機工作時に発する熱がいつでも通過槽を通って放熱できるので、放熱機能を強化する。
【００１３】
更に、揉捏電動機は、扁形電動機であり、揉捏電動機の扁方向は揉捏軸と平行である。
【００１４】
上述の構造において、このような設置の長所は更にムーブメントの総合的な長さ全体を減らすことができる点である。
【００１５】
更に、按摩装置はスイングアームを含む。スイングアーム一端は按摩ヘッドと相互に連接し、筐体上にはスイングアームを挿入するのに用いるスイングアーム槽を設置する。スイングアームは偏心輪上に嵌合し、スイングアームと偏心輪の間には第一ボールベアリングを設置する。
【００１６】
上述の構造において、スイングアームは偏心輪上に設置し、揉捏軸で回転した時、按摩ヘッドは偏心輪とスイングアームの作用の下、揉捏動作を行う。スイングアームと偏心輪の間に第一ボールベアリングを設置する長所は、ボールベアリングの回転摩擦力が小さく、偏心輪とスイングアームに対する摩耗が小さく、ボールベアリングの伝動効率が高いことである。更に現在のボールベアリングはすでに標準化、システム化、通用化されていて、大きなロット生産と供給に適し、使用とメンテナンスが非常に便利である。
【００１７】
更に、スイングアームの別一端は、球形室を設置する。球形室内には球ヘッド連接桿を設置し、球ヘッド連接桿の別一端は叩打動作部材と相互に連接する。
【００１８】
上述の構造において、球ヘッド連接桿でスイングアームと叩打動作部材を連接する長所は、スイングアームにおいて揉捏動作を実施した時、叩打部材に影響を与えることがなく、同時に叩打動作部材がスイングアームを動かして叩打動作を行うことを確実にする点にある。
【００１９】
更に、叩打動作部材は、更にベアリングカップ、ベアリングブロックを含む。筐体上には二個のベアリングカップと相互に合わせた叩打軸支持柱を設置する。叩打軸は周方向に回転し二個の叩打軸支持柱上で軸方向に固定設置する。叩打軸とベアリングカップの間には第二ボールベアリングを設置し、叩打軸とベアリングブロックの間は第三ボールベアリングを設置する。第二ボールベアリングと第三ボールベアリングの間はベアリング止め輪を設置し、ベアリングブロックと球ヘッド連接桿は相互に連接する。
【００２０】
上述の構造において、叩打軸は周方向に回転し二個の叩打軸支持柱で軸方向に固定設置する。このような設置の長所は叩打軸が回転する時に左右に揺れることがなく、按摩ヘッドの叩打動作を更に安定させる点である。ボールベアリングを設置する長所は、ボールベアリングの回転摩擦力が小さく、叩打軸、ベアリングカップとベアリングブロックに対する摩耗率が小さく、ボールベアリングの伝動効率が高いことにある。更に現在のボールベアリングはすでに標準化、システム化、通用化されていて、大きなロット生産と供給に適し、使用とメンテナンスが非常に便利である。
【００２１】
更に、スイングアームは、外スイングアームと内スイングアームを含む。外スイングアームと内スイングアームの間はネジで連接する。
【００２２】
上述の構造において、スイングアームを外スイングアームと内スイングアームの両部分に分ける。二個のスイングアームの間はネジで連接する。スイングアームを両部分に分けて設置するのは一体設置が目的なのではなく、両部分に分けて設置することで設置とメンテナンスを便利にするためである。
【００２３】
更に、筐体内には減速ギアボックスを固定設置する。揉捏伝動組部材内のベルトプーリー、ウォーム、ヘリカルギアは減速ギアボックス内に設置する。
【００２４】
上述の構造において、揉捏伝動部材を減速ギアボックス内に設置する。その訳は一つに伝動部材内のウォームとギアに対して一定の保護作用を行い、二つ目に防止揉捏伝動部材が工作時にその他部材もしくは構造に対して影響を与えるのを抑制する。
【図面の簡単な説明】
【００２５】
【図１】本考案実施例の全体構造指示図である。
【図２】本考案実施例のマッサージムーブメントの分解指示図である。
【図３】本考案実施例の揉捏装置分解図である。
【図４】本考案実施例の叩打装置分解図である。
【図５】本考案実施例の走行装置分解図である。
【図６】本考案実施例の上蓋構造指示図である。
【図７】本考案実施例の中蓋構造指示図である。
【図８】本考案実施例の下蓋構造指示図である。
【図９】本考案本実施例のスイングアーム及び按摩ヘッド構造指示図である。
【考案を実施するための形態】
【００２６】
（一実施形態）
次に図式を挙げながら、本考案の具体的な実施方式を詳細に説明する。
【００２７】
図に示すとおり、本考案は、超薄型マッサージムーブメントを有するマッサージチェアであり、それは、筐体１、按摩装置２、揉捏装置３、叩打装置４、走行装置５、フレームを含む。按摩装置２は按摩ヘッド２１を含み、按摩ヘッド２１は筐体１外部に設置する。揉捏装置３、叩打装置４、走行装置５は筐体１内部に設置し、揉捏装置３は揉捏電動機３１、揉捏伝動部材３２、揉捏動作部材３３を含む。叩打装置４は叩打電動機４１、叩打伝動部材４２、叩打動作部材４３を含む。また走行装置５は走行電動機５１、走行伝動部材５２、主動走行軸５３、追動走行軸５４、ガイドレール５５を含み、主動走行軸５３と追動走行軸５４両端には走行輪５６を設置する。また筐体１は更に上筐体１１、中筐体１２と下筐体１３を含む。上筐体１１と中筐体１２の間には上腔体を形成し、下筐体１３と中筐体１２の間には下腔体を形成する。揉捏電動機３１は上腔体内に垂直に設置し、叩打電動機４１と走行電動機５１は下腔体内に設置する。主動走行軸５３は、走行伝動部材５２と走行電動機５１を通して連接し、且つ上腔体内に回転設置する。追動走行軸５４は上腔体内に回転設置し、ガイドレール５５上にはラック５７を設置し、主動走行軸５３上には更にラック５７と共にセットする走行ギア５８を設置する。
【００２８】
揉捏動作組部材３３は揉捏軸３３１、ブッシング３３２、偏心輪３３３を含む。ブッシング３３２、偏心輪３３３は揉捏軸３３１上に嵌合設置し、筐体１上には二個のブッシング３３２と相互にセットした揉捏軸支持柱１５を設置する。揉捏軸３３１は周方向に回転でき揉捏軸支持柱１５上で軸方向に固定して設置する。揉捏電動機３１は二個の揉捏軸支持柱１５の間に設置し、揉捏伝動部材３２は揉捏電動機３１と揉捏動作部材３３の間に設置する。揉捏伝動組部材３２は第一ベルト３２１、ベルトプーリー３２２、ウォーム３２３、ヘリカルギア３２４を含む。ヘリカルギア３２４は揉捏軸３３１上に嵌合設置し、更にウォーム３２３は相互に噛み合わせ、揉捏電動機３１とベルトプーリー３２２の間は第一ベルト３２１を通じて相互に連接する。揉捏電動機３１は扁形電動機であり、揉捏電動機３１の扁方向は、揉捏軸３３１と平行で且つ叩打軸４３１と揉捏軸３３１の間に設置する。
【００２９】
叩打動作部材４３は、叩打軸４３１、ベアリングカップ４３２、ベアリングブロック４３３を含む。筐体１上には二個のベアリングカップ４３２と相互に合う叩打軸支持柱１６が設置され、叩打軸４３１は周方向に回転し二個の叩打軸支持柱１６上で軸方向に固定設置する。叩打軸４３１とベアリングカップ４３２の間には第二ボールベアリング７を設置し、叩打軸４３１とベアリングブロック４３３の間には第三ボールベアリング８を設置し、第二ボールベアリング７と第三ボールベアリング８の間にはベアリング止め輪９を設置し、ベアリングブロック４３３は球ヘッド連接桿１０と相互に連接する。
【００３０】
下筐体１３上には設置槽１３１を設置し、設置槽１３１底部には更に複数の通過槽１３２を設置する。叩打電動機４１と走行電動機５１は設置槽１３１内に設置し、揉捏電動機３１は電動機カバー３４で中筐体１２上に固定し、下筐体１３の第一ベルト３２１に対応する位置では第一ベルト３２１を納置する納置室１３３を設置する。
【００３１】
按摩装置２は、更にスイングアーム２２を含む。スイングアーム２２は外スイングアーム２２１と内スイングアーム２２２を含む。外スイングアーム２２１と内スイングアーム２２２の間はネジで連接する。スイングアーム２２一端は按摩ヘッド２１と相互に連接し、筐体１にはスイングアーム２２を挿入するのに用いるスイングアーム槽１７を設置する。スイングアーム２２は偏心輪３３３上に嵌合し、スイングアーム２２と偏心輪３３３の間は第一ボールベアリング６を設置する。スイングアーム２２の別一端は球形室２２３を形成し、球形室２２３内には球ヘッド連接桿１０を設置し、球ヘッド連接桿１０の別一端は叩打動作部材４３と相互に連接する。
【００３２】
上述の実施例は、本考案の良好な実施例に過ぎず、本考案の請求範囲を制限するものではなく、拠って、本考案の請求範囲に基づく同様の変化、例として類似の工芸、類似の構造の同効果の製品はすべて本考案の請求範囲に含まれるものとする。
【符号の説明】
【００３３】
１        筐体、
２        按摩装置、
３        揉捏装置、
４        叩打装置、
５        走行装置、
６        第一ボールベアリング、
７        第二ボールベアリング、
８        第三ボールベアリング、
９        ベアリング止め輪、
１０        球ヘッド連接桿、
１１        上筐体、
１２        中筐体、
１３        下筐体、
１３１        設置槽、
１３２        通過槽、
１３３        納置室、
１４        減速ギアボックス、
１５        揉捏軸支持柱、
１６        叩打軸支持柱、
１７        スイングアーム槽、
２１        按摩ヘッド、
２２        スイングアーム、
２２１        外スイングアーム、
２２２        内スイングアーム、
２２３        球形室、
３１        揉捏電動機、
３２        揉捏伝動組部材、
３２１        第一ベルト、
３２２        ベルトプーリー、
３２３        ウォーム、
３２４        ヘリカルギア、
３３        揉捏動作組部材、
３３１        揉捏軸、
３３２        ブッシング、
３３３        偏心輪、
３４        電動機カバー、
４１        叩打電動機、
４２        叩打伝動部材、
４３        叩打動作部材、
４３１        叩打軸、
４３２        ベアリングカップ、
４３３        ベアリングブロック、
５１        走行電動機、
５２        走行伝動組部材、
５３        主動走行軸、
５４        追動走行軸、
５５        ガイドレール、
５６        走行輪、
５７        ラック、
５８        走行ギア。
【図１】
0003216917.tif 000003
【図２】
0003216917.tif 000004
【図３】
0003216917.tif 000005
【図４】
0003216917.tif 000006
【図５】
0003216917.tif 000007
【図６】
0003216917.tif 000008
【図７】
0003216917.tif 000009
【図８】
0003216917.tif 000010
【図９】
0003216917.tif 000011
【手続補正書】
【提出日】平成30年5月7日(2018.5.7)
【手続補正１】
【補正対象書類名】実用新案登録請求の範囲
【補正対象項目名】全文
【補正方法】変更
【補正の内容】
【実用新案登録請求の範囲】
【請求項１】
筐体、按摩装置、揉捏装置、叩打装置、走行装置、フレームを含む超薄型マッサージムーブメントを有するマッサージチェアにおいて、そのうち、
前記按摩装置は、按摩ヘッドを含み、前記按摩ヘッドは前記筐体の外部に設置し、前記揉捏装置、叩打装置、走行装置は筐体内部に設置し、
前記揉捏装置は、揉捏電動機、揉捏伝動部材、揉捏動作部材を含み、
前記叩打装置は、叩打電動機、叩打伝動部材、叩打動作部材を含み、
前記走行装置は走行電動機、走行伝動部材、主動走行軸、追動走行軸、ガイドレールを含み、前記主動走行軸と追動走行軸の両端には走行輪を設置し、
前記筐体は上腔体と下腔体を含み、
前記揉捏電動機は上腔体内に垂直に設置し、
前記叩打電動機と走行電動機は前記下腔体内に設置し、
前記主動走行軸は走行伝動部材と走行電動機で連接し且つ前記上腔体内に回転設置し、
前記追動走行軸は上腔体内に回転設置し、
前記ガイドレール上にはラックを設置し、
前記主動走行軸上には更に前記ラックと相互に合わさる走行ギアを設置する
ことを特徴とする超薄型マッサージムーブメントを有するマッサージチェア。
【請求項２】
請求項１に記載の超薄型マッサージムーブメントを有するマッサージチェアにおいて、
前記叩打動作部材は叩打軸を含み、
前記揉捏動作部材は、揉捏軸、ブッシング、偏心輪、前記ブッシング、偏心輪を含んで前記揉捏軸上に嵌合し、
前記筐体上には二個の前記ブッシングと相互に合わさる揉捏軸支持柱を設置し、
前記揉捏軸は周方向に回転し揉捏軸支持柱上で軸方向に固定設置し、
前記揉捏電動機は前記二個の揉捏軸支持柱の間に設置し、
揉捏伝動部材は揉捏電動機と揉捏動作部材の間に設置し、
前記揉捏電動機は前記揉捏軸と前記叩打軸の間に設置する
ことを特徴とする超薄型マッサージムーブメントを有するマッサージチェア。
【請求項３】
請求項２に記載の超薄型マッサージムーブメントを有するマッサージチェアにおいて、
前記揉捏伝動部材は、第一ベルト、ベルトプーリー、ウォーム、ヘリカルギアを含み、前記ヘリカルギアは揉捏軸上に嵌合し、
更に前記ウォームは相互に咬合し、
前記揉捏電動機とベルトプーリーの間は第一ベルトで相互に連接する
ことを特徴とする超薄型マッサージムーブメントを有するマッサージチェア。
【請求項４】
請求項３に記載の超薄型マッサージムーブメントを有するマッサージチェアにおいて、
前記筐体は、更に上筐体、中筐体と下筐体を含み、
前記上筐体と中筐体の間は前記上腔体が形成され、
前記下筐体と中筐体の間は下腔体が形成され、
前記下筐体上には設置槽を成形し、
前記設置槽の底部は更に複数の通過槽を成形し、
前記叩打電動機と走行電動機は設置槽内に設置し、
前記揉捏電動機は電動機カバーで中筐体上に固定し、
前記下筐体上の第一ベルトに対応する位置には第一ベルトを納置するための納置室を成形する
ことを特徴とする超薄型マッサージムーブメントを有するマッサージチェア。
【請求項５】
請求項４に記載の超薄型マッサージムーブメントを有するマッサージチェアにおいて、
前記揉捏電動機は、扁形電動機であり、
前記揉捏電動機は扁平方向に揉捏軸と平行である
ことを特徴とする超薄型マッサージムーブメントを有するマッサージチェア。
【請求項６】
請求項２に記載の超薄型マッサージムーブメントを有するマッサージチェアにおいて、
前記按摩装置は、更にスイングアームを含み、
スイングアーム一端は按摩ヘッドと相互に連接し、
筐体はスイングアームを挿入するのに用いるスイングアーム槽を設置し、
スイングアームは偏心輪上に嵌合し、
スイングアームと偏心輪の間は第一ボールベアリングを設置する
ことを特徴とする超薄型マッサージムーブメントを有するマッサージチェア。
【請求項７】
請求項６に記載の超薄型マッサージムーブメントを有するマッサージチェアにおいて、
前記スイングアームの別一端は、球形室を形成し、
前記球形室内には球ヘッド連接桿を設置し、
前記球ヘッド連接桿の別一端は叩打動作部材と相互に連接する
ことを特徴とする超薄型マッサージムーブメントを有するマッサージチェア。
【請求項８】
請求項７に記載の超薄型マッサージムーブメントを有するマッサージチェアにおいて、
前記叩打動作部材は、更にベアリングカップ、ベアリングブロックを含み、
筐体上には二個の前記ベアリングカップと相互に合わさる叩打軸支持柱を設置し、
前記叩打軸は周方向に回転し二個の叩打軸支持柱上で軸方向に固定設置し、
前記叩打軸とベアリングカップの間には第二ボールベアリングを設置し、
前記叩打軸と前記ベアリングブロックの間は第三ボールベアリングを設置し、
前記第二ボールベアリングと第三ボールベアリングの間はベアリング止め輪を設置し、
前記ベアリングブロックと前記球ヘッド連接桿は相互に連接する
ことを特徴とする超薄型マッサージムーブメントを有するマッサージチェア。
【請求項９】
請求項６に記載の超薄型マッサージムーブメントを有するマッサージチェアにおいて、
前記スイングアームは外スイングアームと内スイングアームを含み、
前記外スイングアームと前記内スイングアームの間はネジで連接する
ことを特徴とする超薄型マッサージムーブメントを有するマッサージチェア。
【請求項１０】
請求項１に記載の超薄型マッサージムーブメントを有するマッサージチェアにおいて、
前記筐体内は減速ギアボックスを固定設置し、
前記揉捏伝動部材内のベルトプーリー、ウォーム、ヘリカルギアは前記減速ギアボックス内に設置する
ことを特徴とする超薄型マッサージムーブメントを有するマッサージチェア。